(57)【特許請求の範囲】
【請求項１】
データキャリア（１）であって、
非接地端子（４）および接地端子（５）を有し、かつ搬送信号（ＴＳ）を受信する伝送コイル（２）と、
その入力端子が前記伝送コイル（２）の前記非接地端子（４）に接続され、かつ前記搬送信号（ＴＳ）の整流によって直流電源電圧（Ｖ２）を生成可能にする整流器手段（９）と、
一端および他端を有し、前記他端が前記接地端子（５）に接続され、かつ生成された直流電源電圧（Ｖ２）がエネルギー蓄積のために前記一端に供給され得るエネルギー蓄積手段（１０）と、
その一端および他端が前記エネルギー蓄積手段（１０）の前記一端と前記他端との間に並列に接続され、かつ前記エネルギー蓄積手段（１０）の支援を得て前記直流電源電圧（Ｖ２）により電力供給され得るデータ処理手段（１３）と、
静止状態と作動状態の間で切り換え可能で、かつ前記データ処理手段（１３）から制御可能であり、かつ入力端子、第１の出力端子、第２の出力端子を有し、前記入力端子は前記整流器手段（９）の出力端子に接続され、かつ前記静止状態では前記入力端子が前記第１の出力端子に接続され、かつ前記作動状態では前記入力端子が前記第２の出力端子に接続され、かつ前記静止状態から前記作動状態へ切り換えることによって前記伝送コイル（２）によって受信された前記搬送信号（ＴＳ）の負荷変調を可能にする負荷変調手段（１４；２１）と、を有し、
電圧上昇のため、チャージポンプ（２２）をさらに備え、前記チャージポンプ（２２）の入力端子が前記負荷変調手段（１４；２１）の前記第２の出力端子に接続され、
前記エネルギー蓄積手段（１０）の前記一端が前記負荷変調手段（１４；２１）の前記第１の出力端子と前記チャージポンプ（２２）の出力端子の両方に接続され、
前記負荷変調手段（１４；２１）が前記作動状態にある時に前記チャージポンプ（２２）が前記伝送コイル（２）に蓄積されたエネルギーの一部を前記エネルギー蓄積手段（１０）の前記一端に供給可能にし、
前記エネルギー蓄積手段（１０）が前記データ処理手段（１３）に電力を供給するために利用されることを特徴とするデータキャリア。
【請求項２】
前記チャージポンプ（２２）の前記出力端子に接続された前記エネルギー蓄積手段（１０）が前記負荷変調手段（１４，２１）を介して前記整流器手段（９）へ接続された前記エネルギー蓄積手段（１０）によって形成されることを特徴とする請求項１に記載のデータキャリア（１）。
【請求項３】
集積回路（３）であって、
搬送信号（ＴＳ）を受信する伝送コイル（２）を備えたデータキャリア（１）用として意図され、
前記データキャリア（１）の前記伝送コイル（２）への接続用および前記搬送信号（ＴＳ）の受信用として意図された非接地端子（４）および接地端子（５）と、
前記非接地端子（４）へ接続され、かつ前記搬送信号（ＴＳ）の整流によって直流電源電圧（Ｖ２）を生成可能にする整流器手段（９）と、
一端および他端を有し、前記他端が前記接地端子（５）に接続され、かつ生成された直流電源電圧（Ｖ２）がエネルギー蓄積のために前記一端に供給され得るエネルギー蓄積手段（１０）と、
その一端および他端が前記エネルギー蓄積手段（１０）の前記一端と前記他端との間に並列に接続され、かつ前記エネルギー蓄積手段（１０）の支援を得て前記直流電源電圧（Ｖ２）によって電力供給され得るデータ処理手段（１３）と、
静止状態と作動状態の間で切り替え可能であり、かつ前記データ処理手段（１３）から制御可能であり、かつ入力端子、第１の出力端子、第２の出力端子を有し、前記入力端子が前記整流器手段（９）の出力端子に接続され、かつ前記静止状態では前記入力端子が前記第１の出力端子に接続され、かつ前記作動状態では前記入力端子が前記第２の出力端子に接続され、かつ前記静止状態から前記作動状態へ切り替えることによって前記非接地端子（４）において受信された搬送信号（ＴＳ）の負荷変調を可能にする負荷変調手段（１４；２１）と、を有し、
電圧上昇のため、チャージポンプ（２２）をさらに備え、前記チャージポンプ（２２）の入力端子が前記負荷変調手段（１４；２１）の前記第２の出力端子に接続され、
前記エネルギー蓄積手段（１０）の前記一端が前記負荷変調手段（１４；２１）の前記第１の出力端子と前記チャージポンプ（２２）の出力端子の両方に接続され、
前記負荷変調手段（１４；２１）が前記作動状態にある時に前記チャージポンプ（２２）が前記伝送コイル（２）に蓄積されたエネルギーの一部を前記エネルギー蓄積手段（１０）に供給可能にし、
前記エネルギー蓄積手段（１０）が前記データ処理手段（１３）に電力を供給するために利用されることを特徴とする集積回路。
【請求項４】
前記チャージポンプ（２２）の前記出力端子に接続された前記エネルギー蓄積手段（１０）が前記負荷変調手段（１４，２１）を介して前記整流器手段（９）へ接続された前記エネルギー蓄積手段（１０）によって形成されることを特徴とする請求項３に記載の集積回路（３）。
【請求項５】
データキャリア（１）であって、
接地端子（５）および第１の非接地端子（２４）を有して搬送信号（ＴＳ）を受信する第１の伝送コイル（２）と、前記接地端子（５）および第２の非接地端子（４）を有して前記搬送信号（ＴＳ）を受信する第２の伝送コイル（２、２ａ）と、
入力端子および出力端子を有し、かつ前記搬送信号（ＴＳ）の整流によって直流電源電圧（Ｖ２）を生成可能にする整流器手段（９）と、
その一端および他端が前記整流器手段（９）の前記出力端子と前記接地端子（５）との間に並列に接続され、かつ生成された直流電源電圧（Ｖ２）がエネルギー蓄積のために前記一端に供給され得るエネルギー蓄積手段（１０）と、
その一端および他端が前記整流器手段（９）の前記出力端子と前記接地端子（５）との間に並列に接続され、かつ前記エネルギー蓄積手段（１０）の支援を得て前記直流電源電圧（Ｖ２）により電力供給され得るデータ処理手段（１３）と、
静止状態と作動状態の間で切り換え可能で、かつ前記データ処理手段（１３）から制御可能であり、かつ前記第１の伝送コイル（２）の前記第１の非接地端子（２４）に接続された第１の入力端子（２７）、前記第２の伝送コイル（２、２ａ）の前記第２の非接地端子（４）に接続された第２の入力端子（２８）、前記整流器手段（９）の前記入力端子に接続された切替え用出力端子（２６）を有し、かつ前記第１の入力端子（２７）および前記切替え用出力端子（２６）は前記静止状態で接続され、前記第２の入力端子（２８）および前記切替え用出力端子（２６）は前記作動状態で接続され、かつ前記第１の伝送コイル（２）および前記第２の伝送コイル（２、２ａ）によって受信された前記搬送信号（ＴＳ）の負荷変調を可能にする負荷変調手段（１４；２５）と、を有し、
前記負荷変調手段（１４；２５）が前記作動状態にある時に前記負荷変調手段（１４；２５）が前記第２の伝送コイル（２、２ａ）に蓄積されたエネルギーを前記エネルギー蓄積手段（１０）の前記一端に供給可能にし、
前記エネルギー蓄積手段（１０）が前記データ処理手段（１３）に電力を供給するために利用されることを特徴とするデータキャリア。
【請求項６】
集積回路（３）であって、
接地端子（５）および第１の非接地端子（２４）に接続されて搬送信号（ＴＳ）を受信する第１の伝送コイル（２）と、前記接地端子（５）および第２の非接地端子（４）に接続されて前記搬送信号（ＴＳ）を受信する第２の伝送コイル（２、２ａ）と、を備えたデータキャリア（１）用として意図され、
前記データキャリア（１）の前記第１の伝送コイル（２）と前記第２の伝送コイル（２、２ａ）への接続用および前記搬送信号（ＴＳ）の受信用として意図された前記第１の非接地端子（２４）、前記第２の非接地端子（４）、前記接地端子（５）と、
入力端子および出力端子を有し、かつ前記搬送信号（ＴＳ）の整流によって直流電源電圧（Ｖ２）を生成可能にする整流器手段（９）と、
その一端および他端が前記整流器手段（９）の前記出力端子と前記接地端子（５）との間に並列に接続され、かつ生成された直流電源電圧（Ｖ２）がエネルギー蓄積のために前記一端に供給され得るエネルギー蓄積手段（１０）と、
その一端および他端が前記整流器手段（９）の前記出力端子と前記接地端子（５）との間に並列に接続され、かつ前記エネルギー蓄積手段（１０）の支援を得て前記直流電源電圧（Ｖ２）により電力供給され得るデータ処理手段（１３）と、
静止状態と作動状態の間で切り換え可能で、かつ前記データ処理手段（１３）から制御可能であり、かつ前記第１の非接地端子（２４）に接続された第１の入力端子（２７）、前記第２の非接地端子（４）に接続された第２の入力端子（２８）、前記整流器手段（９）の前記入力端子に接続された切替え用出力端子（２６）を有し、かつ前記静止状態では前記第１の入力端子（２７）と前記切替え用出力端子（２６）とが接続され、前記作動状態では前記第２の入力端子（２８）と前記切替え用出力端子（２６）とが接続され、かつ前記第１の伝送コイル（２）および前記第２の伝送コイル（２、２ａ）によって受信された前記搬送信号（ＴＳ）の負荷変調を可能にする負荷変調手段（１４；２５）と、を有し、
前記負荷変調手段（１４；２５）が前記作動状態にある時に前記負荷変調手段（１４；２５）が前記第２の伝送コイル（２、２ａ）に蓄積されたエネルギーを前記エネルギー蓄積手段（１０）の前記一端に供給可能にし、
前記エネルギー蓄積手段（１０）が前記データ処理手段（１３）に電力を供給するために利用されることを特徴とする集積回路。
【発明の詳細な説明】
【０００１】
本発明は請求項１の序の部分に定義されたデータキャリアに関する。
【０００２】
本発明はさらに請求項５の序の部分に定義された集積回路に関する。
【０００３】
この種のデータキャリア及びこの種の集積回路は本出願人によって市販されており、従って既知である。この点に関しては、米国特許第５，３４５，２３１号明細書も参照されたい。既知の配置構成においては、負荷変調過程において負荷変調手段の作動状態に対応する、ある特定の期間中に直流電源電圧が崩壊し、その結果として、データキャリア及びその集積回路における電源が損なわれることが発生し、この目的のために装備された通信局との通信中にデータキャリアの通信範囲が制限されることがある。
【０００４】
本発明の目的は前述の問題を排除すること、及び請求項１の序の部分に定義されたタイプの改良されたデータキャリア、及び請求項５の序の部分に定義されたタイブの改良された集積回路を提供することにある。
【０００５】
本発明によれば、前述の目的を達成するために請求項１の序の部分に定義されたデータキャリアは、請求項１の特徴部分に定義された特性的特徴を有することを特徴とする。
【０００６】
本発明によれば、前述の目的を達成するために請求項５の序の部分に定義された集積回路は請求項５の特徴部分に定義された特性的特徴を有することを特徴とする。
【０００７】
本発明に従って特性的特徴を備えることにより、簡単な仕方において、かつ簡単な手段によって、負荷変調の過程において追加手段が直流電源電圧を少なくとも変調中断時における水準に保持することが達成される。この変調中断期間において、本発明による特性的特徴が備えられていない場合には、直流電源電圧には落ち込みが発生するはずである。これは、適切な電源電圧を常に保証し、その結果として、データキャリア及びその集積回路においては常に適正な電源が保証され、結果的に常に最高レンジが達成される。
【０００８】
本発明によるデータキャリア及び本発明による集積回路においては、さらに、請求項２と３及び６と７にそれぞれ定義された特性的特徴が備えられている場合に、非常に有利であることが実証済みである。この結果として、データキャリア及び集積回路は、回路工学の見地から見て、簡単に実現可能な信頼度の高い追加手段を備える。
【０００９】
本発明によるデータキャリア及び本発明による集積回路においては、さらに、請求項４及び請求項８にそれぞれ定義された特性的特徴が備えられている場合に、非常に有利であることが実証済みである。この方策は特に簡単な回路設計の観点から有利であることが実証されている。
【００１０】
本発明の上記の態様ならびに更なる態様は、以降に示す例としての実施形態から明白になり、これらの例を参照することにより解明されるであろう。
【００１１】
限定的意味を持つことなく例としての３つの実施形態を示す図面を参照しながら本発明についてさらに詳細に述べる。
【００１２】
図１は通信局との非接触通信を目的として構成された既知のデータキャリア１を示す。
【００１３】
データキャリア１は伝送コイル２を有する。データキャリア１は、伝送コイル２により、誘導的、すなわち、変圧器様仕方において通信局の伝送コイルと通信可能である。通信局とデータキャリア１との間のこの種の通信に際して、データキャリア１から通信局までデータを伝送しようとするとき、通信局は所定の作動周波数を有する変調されていない搬送信号ＴＳを生成する。この場合、信号は通信局の伝送コイルの支援によってデータキャリア１の伝送コイル２まで伝送され、かつ伝送コイル２によって受信される。搬送信号の作動周波数は例えば１３．５６ＭＨｚである。ただし作動周波数は、代替案として、１２５ｋＨｚまたは他の任意の値であっても差し支えない。
【００１４】
データキャリア１は、さらに、図１に一点鎖線の支援によって示される集積回路３を有する。集積回路３は第１端子４及び第２端子５を備える。２つの端子４及び５はデータキャリア１の伝送コイル２への接続、ひいては、キャリア信号ＴＳの受信に役立つ。
【００１５】
集積回路３は、２つの端子４と５の間に配置されたコンデンサ６を有する。このような方法により、コンデンサ６と伝送コイル２は並列共振回路７を形成する。並列共振回路７は、キャリヤ信号ＴＳの作動周波数に同調される。この場合のコンデンサ６は集積回路３内に実装される。代替案として、集積回路３にとって外部コンデンサを装備しても差し支えない。
【００１６】
図１は並列共振回路７に接続される回路点８を示しており、この点においては、搬送信号ＴＳの電圧波形ＶＡが検出可能である。この種の電圧波形ＶＡを図２に示す。図２Ａから明らかなように、搬送信号ＴＳは変調されていないピークトゥーピーク振幅ＶＨを持つ。搬送信号ＴＳの負荷変調が時限ＴＢ内に発生する場合には、搬送信号ＴＳのピークトゥーピーク振幅ＶＬは減少する。
【００１７】
集積回路３、結果的にはデータキャリア１は、伝送コイル２、結果的には並列共振回路７に接続される整流器手段９を有し、その支援を得て、搬送信号ＴＳの整流によって直流電源電圧Ｖ１が生成可能である。さらに、この場合には、整流器手段９の出力端子に接続されたコンデンサ１０の形式をとるエネルギー蓄積手段１０が装備される。整流器手段９の支援を得て生成される直流電源電圧Ｖ１は、エネルギー蓄積のためにコンデンサ１０に供給される。
【００１８】
整流器手段９の支援を得て生成された直流電源電圧Ｖ１の電圧波形ＶＢが検出される第２回路点１１を図１に示す。図２Ｂにおいて、図１に示すデータキャリア１の電源電圧Ｖ１の電圧波形ＶＢが一点鎖線によって示される。図２Ｂから明らかなように、直流電源電圧Ｖ１は、負荷変調されていない搬送信号ＴＳが存在する期間中に実質的に一定の振幅を有する。ただし、ＴＢ期間中に搬送信号ＴＳ内に負荷変調が現れる時、これは、図１に示すデータキャリア１内の直流電源電圧Ｖ１を、ＴＢ期間中減少させ、その後で直流電源電圧Ｖ１が再び一定値になる期間Ｔ１が経過するまで、続いて増加させる。図２Ｂに一点鎖線によって示すように直流電源電圧Ｖ１に一時的落ち込みを生じる結果として、この直流電源電圧Ｖ１が供給される集積回路３の回路部分は正しく、又は満足に電圧供給されず、その結果として、データキャリア１の範囲に少なくとも限界を生じる。
【００１９】
集積回路３は、さらに、簡素性のために図１には１つの単一ブロック１２として示される複数の回路区分を有する。ブロック１２によって表される更なる回路区分の中のデータ処理手段１３のみを分離して図１に示す。データ処理手段１３に支援を得て、集積回路３のメモリに記憶されたデータ、結果的にはデータキャリア１のデータはメモリから読み取り可能であり、かつ、データキャリア１から通信局へ伝送されることを可能にするために処理される。ブロック１２によって表される更なる回路区分体、結果的にはデータ処理手段１３は直流電源電圧Ｖ１によって供給されることが可能であり、従って、エネルギー貯蔵手段１０の支援を得て、すなわちコンデンサ１０の支援を得て、電力供給されることが可能であることに注意されたい。
【００２０】
データキャリア１から通信局への前述のデータ伝送を可能にするためには、集積回路３、結果的にはデータキャリア１は負荷変調手段１４を有する。この場合に、負荷変調手段１４は電子スイッチ１５及び電子スイッチ１５と直列配置された抵抗器１６を有する。この場合、スイッチ１５と抵抗器１６の直列配置構成は並列共振回路、結果的にはコンデンサ６及び伝送コイル２と並列接続される。電子スイッチ１５はトランジスタスイッチによって形成される。負荷変調手段１４は制止状態と作動状態の間で切り替え可能である。この場合、静止状態はスイッチ１５の非導通状態に対応し図１に実線によって示される。この場合、負荷変調手段１４の作動状態はスイッチ１３の導通状態に対応し図１に鎖線によって示される。負荷変調手段１４の作動状態は運転状態と呼んでも差し支えない。負荷変調手段の休止状態は電子スイッチの比較的乏しい導通状態に対応し、作動状態は良好な導通状態に対応する。
【００２１】
負荷変調手段１４の作動状態、すなわち、負荷変調手段１４の電子スイッチ１５の比較的良好な導通状態は制御線１７を介してデータ処理手段１３によって制御可能であり、負荷変調手段１４のこの制御はデータ処理手段１３によって処理された通信局へ伝送されるべきデータに依存して実施される。伝送されるべきデータはマンチェスタコード（サブキャリア有り又は無し）に従って符号化可能である。
【００２２】
既に述べたように、負荷変調手段１４は伝送コイル２に接続され、その結果、伝送コイル２によって受信可能なキャリヤ信号ＴＳは負荷変調手段１４の支援を得て、すなわち、負荷変調手段１４を休止状態か作動状態へ切り替えることにより負荷変調可能である。キャリヤ信号ＴＳの負荷変調に関して、図２Ａを再び参照することとする。キャリヤ信号ＴＳの負荷変調に際して既知のデータキャリアに生じる電源電圧Ｖ１の弛みに関しては、図２Ｂを再度参照することとする。
【００２３】
図３は、図１の既知のデータキャリア１と共に生じる前述の問題がその支援を得て簡単かつ効果的仕方において排除される手段を有する本発明の第１の実施形態によるデータキャリアを示す。
【００２４】
図３に示すデータキャリア１において、負荷変調手段１４もトランジスタスイッチによって形成される電子スイッチ１５を有する。
【００２５】
さらに、図３に示すデータキャリア１における負荷変調手段１４は、この場合には倍電圧回路によって形成される追加手段１８に有利に接続される。ただし、倍電圧回路の代りに、「２」より大きい係数によって電圧を乗算可能な電圧乗算器回路を装備しても差し支えないことが強調される。追加手段１８を負荷変調手段１４に接続するためには、追加手段１８の入力端子１９は負荷変調手段１４、すなわち電子スイッチ１５に接続される。
【００２６】
追加手段１８はさらに出力端子２０を備える。追加手段１８は、この出力端子２０を介してエネルギー蓄積手段１０に接続される。この場合、追加手段１８に接続されるエネルギー蓄積手段１０はエネルギー蓄積手段１０、すなわち整流器手段９に接続されるコンデンサ１０によって形成される。ただし、追加手段１８の出力端子２０にエネルギー蓄積手段を形成するために代替案として個別のコンデンサを接続すること、すなわち、回路点１１に、従ってダイオードの接合を介してコンデンサ１０に接続可能であることが強調される。
【００２７】
図３に示すデータキャリア１において、は、負荷変調手段１４及び追加手段１８の支援によって、次のような利点が得られる。すなわち、負荷変調手段１４の作動状態、すなわち電子スイッチ１５の導通状態において、伝送コイル２に蓄積されたエネルギーの一部が、追加手段１８の支援を得て、すなわち倍電圧回路の助力を得て追加手段１８に接続されたエネルギー蓄積手段１０、すなわちコンデンサ１０へ供給可能であること、及び、追加手段１８へ接続されるエネルギー蓄積手段１０が、ブロック１２によって表される更なる回路区分、結果的に、データ処理手段１３に電源を供給するために、利用されるという利点である。
【００２８】
図３に示すデータキャリア１において、追加手段１８の装備、すなわち倍電圧回路１８を装備する結果として、搬送信号ＴＳの負荷変調処理に際して、図２Ａに示すように、期間ＴＢ中に追加手段１８の支援を得て、エネルギー蓄積手段１０、すなわちコンデンサ１０への追加エネルギーの供給が非常に簡単な仕方において達成され、その結果として、第２回路点９において検出される電源電圧Ｖ２の電圧波形Ｖは図２Ｂにおいて実線で示される形状であり、従って、負荷変調の実施期間中に発生する弛みを含む電源電圧Ｖ１と異なり、電源電圧Ｖ２の振幅は一定値以上となる。従って、図３に示すデータキャリア１においては、搬送信号ＴＳが負荷変調される期間においても、適当な直流電源電圧Ｖ２が利用可能であり、その結果として、ブロック１２によって表される集積回路の更なる回路区分、結果的にはデータキャリア１には適切な電源が供給され、その結果として、搬送信号ＴＳの負荷変調に際して、データ処理手段１３には適切な電力が供給される。
【００２９】
１より大きい係数、例えば１．２又は１．５の係数だけ電圧を引き上げることが可能な電圧上昇回路により代替案として追加手段１８が形成可能であることに注意されたい。
【００３０】
第２回路点１１において検出可能な電源電圧Ｖ２の電圧波形ＶＢは必ずしも一定値以上である必要はなく、一定値以下であっても差し支えないが、いずれにしても電源電圧Ｖ１の電圧波形以上でなくてはならないことに注意されたい。
【００３１】
図４は、本発明の第２の実施形態に従ったデータキャリア１を示す。図４に示すデータキャリア１において、負荷変調手段１４は伝送コイル２に直接接続されることなく、整流器手段９を介して間接的に接続される。この場合、負荷変調手段１４は電子切換えスイッチ２１によって形成され、負荷変調手段１４の静止状態に対応するスイッチング状態を実線で示し、負荷変調手段１４の作動状態に対応するスイッチング状態を鎖線で示す。
【００３２】
また、図４に示すデータキャリア１は負荷変調手段１４に接続された追加手段２２を備え、この場合の追加手段はいわゆるチャージポンプ２２によって形成される。チャージポンプ２２によって形成される追加手段２２は、同様に、エネルギー蓄積手段１０、すなわちコンデンサ１０に接続される。負荷変調手段１４が作動状態にある時には、伝送コイル２に蓄えられ、かつ、整流器手段９を介してチャージポンプ２２に供給されるエネルギーの一部はチャージポンプ２２に接続されたエネルギー蓄積手段１０、すなわち、コンデンサ１０に供給可能である。図４のデータキャリア１において、搬送信号ＴＳの負荷変調に際して発生する電源電圧Ｖ２における弛みはこの場合にも排除される。
【００３３】
図５は本発明の第３の実施形態に従ったデータキャリア１を示す。図５に示すデータキャリア１においては、伝送コイル２は集積回路３の第３端子２４に接続されるタップ２３を備える。
【００３４】
図５に示すデータキャリア１において、負荷変調手段１４は整流器手段９に接続された固定接触子２６を備えた電子切換えスイッチ２５によって形成される。電子切換えスイッチ２５の第１入力端子２７は集積回路３の第３端子２４に接続される。電子切換えスイッチ２５の第２入力端子２８は集積回路３の第１端子４に接続される。このようにして、電子切換えスイッチ２５は第１端子４と第３端子２４の間に位置する伝送コイル２の部分２ａと並列配置構成される。図５に実線で示される切換えスイッチ２５のスイッチング状態は負荷変調手段１４の静止状態に対応する。図５に鎖線で示される切換えスイッチ２５のスイッチング状態は負荷変調手段１４の作動状態に対応する。図５に示すデータキャリア１の実施形態において、負荷変調手段１４の支援を得て、すなわち電子切換えスイッチ２５の支援を得て、並列共振回路７の負荷変更が達成可能である。集積回路の第１端子４と第３端子２４の間に配置され、追加手段２ａを形成する伝送コイル２の一部分は、切換えスイッチ２４の切換によって、整流器手段９、結果的に、エネルギー蓄積手段１０、すなわちコンデンサ１０に接続可能であり、その結果、負荷変調手段１４が作動状態にあるときに、追加手段２ａは、伝送コイル２に蓄えられたエネルギーを、整流器手段９を介して追加手段２ａへ接続されているエネルギー蓄積手段１０へ供給可能にし、その結果、搬送信号ＴＳの負荷変調に際して、追加手段２ａに接続されたエネルギー蓄積手段１０はブロック１２によって記号的に表示され、データ処理手段１３を含む更なる回路区分に適切な電力を供給することが可能であり、負荷変調処理に際して直流電源電圧Ｖ２に弛みを一切生じない。
【００３５】
ある手段が他の手段に接続されるという表現、すなわち電気的に接続されるという表現は相互に接続される手段が相互に直接接続されなければならないことを含意するものでなく、相互に間接的に接続されても差し支えないこと、すなわち、両者間に挿入配置された手段を介して相互に接続されても差し支えないことを意味することに注意されたい。
【図面の簡単な説明】
【図１】  搬送信号の負荷変調を実施可能なデータキャリアによって、従来技術によるデータキャリアを示す概略構成図である。
【図２Ａ】  ある時限内に負荷変調が行われる搬送信号の電圧波形を示す図である。
【図２Ｂ】  負荷変調可能な搬送信号から生成可能な直流電源電圧の電圧波形を示す図である。
【図３】  図１と同じ方法において、本発明の第１の実施形態に従ったデータキャリアを示す図である。
【図４】  図１及び３と同じ方法において、本発明の第２の実施形態に従ったデータキャリアを示す図である。
【図５】  図１と３及び５と同じ方法において、本発明の第３の実施形態に従ったデータキャリアを示す図である。
【図１】
0004823458.tif 000002
【図２Ａ−Ｂ】
0004823458.tif 000003
【図３】
0004823458.tif 000004
【図４】
0004823458.tif 000005
【図５】
0004823458.tif 000006